(57)【要約】【課題】ガスケットの接続、ビス締め時の板金のたわみ受け、縦型コネクタ挿入時の基板のたわみ受けをそれぞれ別の場所で行うと、基板の部品実装禁止領域が大きくなり、基板面積が拡大し、製品が大型化するという問題がある。【解決手段】板金に設けられたビス締めタップから先に腕部を有し、前記腕部にガスケット貼り付け面、ビス締め時基板たわみ受け面、コネクタ挿入時のたわみ受け面を有することにより部品実装禁止領域を１箇所にまとめ小さくする。【選択図】  図3
2015104090.tif 000002
【特許請求の範囲】
【請求項１】
板金と基板を接続するためのガスケットを有し、前記板金は、ビス締めタップを有する撮像装置において、前記板金に設けられたビス締めタップから先に腕部を有し、前記腕部にガスケット貼り付け面、ビス締め時基板たわみ受け面、コネクタ挿入時のたわみ受け面を有することを特徴とする撮像装置。
【請求項２】
前記板金の腕部にはガスケット貼り付け面が配置され、更に先端側に一段差のついた面を有し、その面は、ビス締め時基板たわみ受け面、コネクタ挿入時のたわみ受け面が兼用された面であることを特徴とする請求項１に記載の撮像装置。
【発明の詳細な説明】
【技術分野】
【０００１】
本発明は、ガスケットを搭載した撮像装置に関するものである。
【背景技術】
【０００２】
従来ＥＭＩ問題の対策として、金属部品と基板をガスケットで接続することを行っている。特許文献１に示すようにガスケットを固定する方法が提案されている。
【０００３】
また、別の問題として、外装カバーを固定するために、板金にタップが設けられており、ビス締めする際に、タップの周辺に板金の固定がないと、ビスを閉める際に板金が下側に移動し、ビスを閉めることができない。このため、従来板金のタップ部から腕部を出して移動しないようにしている。
【０００４】
また別の問題として、縦型コネクタにＦＰＣを挿入する際に基板がたわみ、周辺に実装されたチップ部品が剥離してしまう。このため従来、縦型コネクタが実装された基板の面の裏側には、基板が撓まないように、基板に受け部を設け、板金により基板を受けている。
【先行技術文献】
【特許文献】
【０００５】
【特許文献１】特開2004-335567号公報
【発明の概要】
【発明が解決しようとする課題】
【０００６】
しかしながら、上記従来例で述べた、ガスケットの接続、ビス締め時の板金のたわみ受け、縦型コネクタ挿入時の基板のたわみ受けをそれぞれ別の場所で行うと、基板に設ける部品実装禁止領域が増えてしまい、基板が大型化し、結果的に製品の大型化、コストアップになってしまうという問題があった。
【０００７】
そこで本発明の目的は、上記ガスケットの接続、ビス締め時の板金のたわみ受け、縦型コネクタ挿入時の基板のたわみ受けを１つの場所で行い、基板の部品実装禁止領域を減らすことである。
【課題を解決するための手段】
【０００８】
本発明は、板金と基板を接続するためのガスケットを有し、前記板金は、ビス締めタップを有する撮像装置において、前記板金に設けられたビス締めタップから先に腕部を有し、前記腕部にガスケット貼り付け面、ビス締め時基板たわみ受け面、コネクタ挿入時のたわみ受け面を有することを特徴としている。
【０００９】
また、本発明の他の特徴とするところは、前記板金の腕部にはガスケット貼り付け面が配置され、更に先端側に一段差のついた面を有し、その面は、ビス締め時基板たわみ受け面、コネクタ挿入時のたわみ受け面が兼用された面であることを特徴としている。
【発明の効果】
【００１０】
以上説明したように、本発明によれば、基板の部品実装禁止領域を減らすことができ、基板を小型化することができる。これにより製品の小型化や、コストダウンをすることができる。
【図面の簡単な説明】
【００１１】
【図１】本発明に係わる撮像装置の全体図
【図２】本発明に係わる撮像装置の分解図
【図３】ガスケットの周辺拡大図
【図４】ビズ締めタップ周辺拡大図
【図５】ビズ締めタップ周辺詳細図
【図６】コネクタ挿入部拡大図
【発明を実施するための形態】
【００１２】
＜第１の実施形態＞
以下、本発明の実施例について図を参照しながら説明する。
【００１３】
図1aに本発明の一例としてビデオカメラの外観図を示す。
100ビデオカメラは、101本体部と回転ヒンジを介して接続された102表示部とから構成されている。図１aは、表示部を閉じた状態の図を示しており、図１bは、表示部を開いた状態を示している。
【００１４】
前記本体部101には、103カメラ部、104MICジャック、107ヘッドホンジャック、105電源ジャック、106回転ダイヤル等が搭載されている。前記カメラ部103には撮影レンズ及び撮像素子などの撮像部が搭載され、ワイヤ等により前記本体部101に搭載されたメイン基板（図2に記載）に接続されている。前記マイクジャック104は、外部マイクを接続することにより音声を入力することができる端子である。前記ヘッドフォンジャック107はヘッドホンを接続することで音声をヘッドホンに出力することができる端子である。また、不図示だが、前記マイクジャック104の反対側の面には、デジタル信号の外部出力端子であるＨＤＭI（登録商標）端子、ＵＳＢ端子が配置されている。前記電源ジャック105は、外部から本体に電源を供給するための接続コネクタである。
【００１５】
前記回転ダイヤル106は回転操作を行うことにより、音声信号出力のボリュームやＭＩＣ感度のゲインを調整することができる。また、108は前記表示部102を開いた際に露出するＴＯＰカバーであり、ＴＯＰカバー108の内部にＭＡＩＮ基板（図2に記載）が配置されている。
【００１６】
図2を用いて撮像装置の内部構成について説明する。図２は図1で示した撮像装置を分解した図を示している。図2に示す201は構造板金であり、外装カバーや内部基板などを固定することとグランドの接続をするための部品である。202はガスケットであり、203はＭＡＩＮ基板である。前記ガスケット202は前記構造板金201と前記ＭＡＩＮ基板203を電気的に導通させるための部品である。  次に外観カバーについて説明する。204はフロントカバーユニットであり、205はサイドカバー１であり、206はサイドカバー２であり、207はボトムカバーである。
【００１７】
次に208はサブ基板であり、前記ＭＡＩＮ基板203に実装された縦型コネクタと209ＦＰＣにより接続される。210は前記構造板金201と前記フロントカバーユニット204を固定するためのビスである。
【００１８】
次に図3を用いて前記ガスケット202と前記ＭＡＩＮ基板203の関係について説明する。前記ガスケット202は前記構造板金201と前記ＭＡＩＮ基板203の間に挟まれ導通する。前記構造板金201には305ビス締めタップ面が設けられ、前記タップ面305から先端側に306腕部が設けられている。
【００１９】
次に301は、前記構造板金201に設けられたガスケット貼り付け面であり、前記ガスケット202を貼り付けて固定している面である。次に302は前記構造板金201の先端に設けられた基板受け面である。前記基板受け部302は、ガスケット貼り付け面から一段差がついた面である。これにより、前記ガスケット202のつぶれる量を規定することができ、衝撃や静圧など外部の力を受けた際にもガスケットが潰れずに保持される。
【００２０】
次に前記ＭＡＩＮ基板203について図３ｂを用いて説明する。前記ＭＡＩＮ基板203には、303導通面が設けられており、これは、前記ガスケット202が当接し、前記構造板金201と前記ＭＡＩＮ基板203が導通するように、レジストが剥離され、銅箔が露出している面である。このため前記ガスケット202により前記構造板金201と前記ＭＡＩＮ基板203が導通し、電気的に接続される。また、304は部品実装禁止領域であり、ガスケットのズレにより周辺の実装部品と接触しショート等の問題が発生しないように設けられた領域である。
【００２１】
次に図４、５を用いてビス締め時の受け構造について説明する。図4は前記フロントカバーユニット204と前記構造板金201と前記ＭＡＩＮ基板203を接続した状態を示している。401矢印で示した方向に前記ビス210を締めるため、前記構造板金201に、402ビス締めタップが設けられている。
【００２２】
次に図5は図4からフロントカバーを非表示にした状態を示している。前記基板受け面302は、前記ビス210をビス締めする際に、前記ＭＡＩＮ基板と当接する。これにより、ビス締め時に、前記ビス締めタップ402が下方向に移動せず、前記ビス210を固定することができる。
【００２３】
次に図６を用いて縦型コネクタのＦＰＣ挿入時受け形状について説明する。図6は図5を斜め下方向から見た図であり、前記構造板金201、前記ＭＡＩＮ基板203、前記サブ基板208の配置は図に示すようになっている。
【００２４】
図に示す601は縦型コネクタであり、前記ＭＡＩＮ基板203に実装されたコネクタであり前記、サブ基板208と、前記ＦＰＣ209により接続されている。前記縦型コネクタ601に前記ＦＰＣ209を接続する際に602挿入力が発生し、前記ＭＡＩＮ基板に負荷が加わる。この時、前記縦型コネクタ601の裏側に前記基板受け面302が設定されている。これにより前記ＭＡＩＮ基板のたわみを防ぐことができる。
【００２５】
上述したように、前記構造板金201は、前記ビス締めタップ部305から前記腕部306が設けられ、前記腕部306には前記ガスケット202の接続のため前記ガスケット受け面301が設けられている。更に、先端側に一段差のついた面にビス締め時の板金のたわみ受け、及び縦型コネクタ挿入時の基板のたわみ受けを兼用した、前記基板受け面302を有している。
【００２６】
このため、前記ＭＡＩＮ基板203に設定される前記部品実装禁止領域304は、前記基板受け面302の周辺範囲１箇所だけで良い。結果、基板に設ける部品実装禁止領域304が従来の３箇所から1箇所に削減され、基板を小型化することができる。
【００２７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００２８】
１００‥‥撮像装置
２０１‥‥板金
２０２‥‥ガスケット
２０３‥‥基板
３０１‥‥ガスケット貼り付け面
３０２‥‥受け面
３０５‥‥ビス締めタップ部
３０６‥‥腕部
６０１‥‥縦型コネクタ
【図１】
2015104090.tif 000003
【図２】
2015104090.tif 000004
【図３】
2015104090.tif 000005
【図４】
2015104090.tif 000006
【図５】
2015104090.tif 000007
【図６】
2015104090.tif 000008